(57)【要約】【課題】追加的な器具なしに駆動回路基板及び保護部材を固定できる液晶表示装置を提供する。【解決手段】表示パネル、前記表示パネルを収納するボトムシャーシ、前記ボトムシャーシの背面に位置する駆動回路基板、前記駆動回路基板上に配置された保護部材、及び前記ボトムシャーシに締結され、前記駆動回路基板及び前記保護部材を固定するガイド部材を含む表示装置を提供する。【選択図】  図１
2018092172.tif 000002
【特許請求の範囲】
【請求項１】
表示パネル、
前記表示パネルを収納するボトムシャーシ、
前記ボトムシャーシの背面に位置する駆動回路基板、
前記駆動回路基板上に配置された保護部材、及び
前記ボトムシャーシに締結され、前記駆動回路基板及び前記保護部材を固定するガイド部材、を含む、ことを特徴とする表示装置。
【請求項２】
前記ガイド部材は、
支持部、
前記支持部の一面から伸び、前記支持部を前記ボトムシャーシに固定する締結部、
前記支持部の他面から伸び、前記駆動回路基板を固定する第１固定部、及び
前記第１固定部から伸び、前記保護部材を固定する第２固定部、を含む、ことを特徴とする請求項１に記載の表示装置。
【請求項３】
前記ガイド部材は、
前記第１固定部及び前記第２固定部間の間隔維持部をさらに含む、ことを特徴とする請求項２に記載の表示装置。
【請求項４】
前記締結部は、前記ボトムシャーシの背面にフック結合又はネジ結合される、ことを特徴とする請求項２に記載の表示装置。
【請求項５】
前記締結部は、
前記支持部の一面から突出する挿入体、及び
前記挿入体から伸びた係止部、を含む、ことを特徴とする請求項２に記載の表示装置。
【請求項６】
前記ボトムシャーシは、前記締結部が挿入される第１挿入ホールを有する、ことを特徴とする請求項５に記載の表示装置。
【請求項７】
前記第１固定部は、前記第２固定部より小さい幅を有する、ことを特徴とする請求項２に記載の表示装置。
【請求項８】
前記第１固定部は、前記第２固定部と実質的に同一の幅を有する、ことを特徴とする請求項２に記載の表示装置。
【請求項９】
前記第１固定部は、前記第２固定部より大きな幅を有する、ことを特徴とする請求項２に記載の表示装置。
【請求項１０】
前記駆動回路基板及び前記保護部材間の離隔距離は３ｍｍ乃至７ｍｍである、ことを特徴とする請求項３に記載の表示装置。
【請求項１１】
前記駆動回路基板と向き合う前記保護部材の一面に配置された絶縁部材をさらに含む、ことを特徴とする請求項１に記載の表示装置。
【請求項１２】
前記表示パネルと前記駆動回路基板を連結する少なくとも一つ以上のフレキシブル回路基板をさらに含む、ことを特徴とする請求項１に記載の表示装置。
【請求項１３】
前記保護部材は、前記駆動回路基板及び前記フレキシブル回路基板と平面上において実質的に同一の形態を有する、ことを特徴とする請求項１２に記載の表示装置。
【請求項１４】
前記保護部材は、前記ボトムシャーシに向かって突出した突起をさらに含む、ことを特徴とする請求項１に記載の表示装置。
【請求項１５】
前記ボトムシャーシは、前記突起が挿入される第２挿入ホールを有する、ことを特徴とする請求項１４に記載の表示装置。
【請求項１６】
前記表示装置は、
前記表示パネルの縁部及び側面を覆うトップシャーシをさらに含む、ことを特徴とする請求項１に記載の表示装置。
【請求項１７】
前記保護部材は、前記トップシャーシに締結されるフックをさらに含む、ことを特徴とする請求項１６に記載の表示装置。
【請求項１８】
前記トップシャーシは、前記フックが締結される締結ホールを有する、ことを特徴とする請求項１７に記載の表示装置。
【請求項１９】
前記ガイド部材は射出成形によって一体型に形成される、ことを特徴とする請求項１に記載の表示装置。
【請求項２０】
前記ガイド部材は、ポリカーボネート（ＰｏｌｙＣａｒｂｏｎａｔｅ：ＰＣ）、透明アクリル（Ａｃｒｙｌ）系樹脂、ポリスチレン（ＰｏｌｙＳｔｙｒｅｎｅ：ＰＳ）、ポリメチルメタクリレート（ＰｏｌｙＭｅｔｈｙｌ  ＭｅｔｈＡｃｒｙｌａｔｅ：ＰＭＭＡ）、及びポリエチレンテレフタレート（ＰｏｌｙＥｔｈｙｌｅｎｅ  Ｔｅｒｅｐｈｔｈａｌａｔｅ：ＰＥＴ）からなる群から選択された少なくとも１種以上を含む、ことを特徴とする請求項１に記載の表示装置。
【発明の詳細な説明】
【技術分野】
【０００１】
本発明は表示装置に係り、より詳しくは、追加的な器具なしに駆動回路基板及び保護部材を固定できる表示装置に関する。
【背景技術】
【０００２】
表示装置は、対向２つの電極を含んでいる。２つの電極に印加される電圧間の差によって表示装置の透過率が調節される。
【０００３】
表示装置は、画面を表示する表示パネル、及び表示パネルに光を供給するバックライトユニット（ＢＬＵ）を含む。バックライトユニットは、光源の位置によって、直下型（ｄｉｒｅｃｔ  ｔｙｐｅ）、エッジ型（ｅｄｇｅ  ｔｙｐｅ）及びコーナー型（ｃｏｎｅｒ  ｔｙｐｅ）などに分類される。
【０００４】
エッジ型バックライトユニットは導光板及び導光板の一側に配置された光源を含み、光源から照射された光が導光板を介して表示パネルに照射される。直下型バックライトユニットは、表示パネルの下部に多数の光源が配置されるので、エッジ型バックライトユニットに比べて輝度を高めることができ、発光面を拡張できる利点がある。
【０００５】
一方、表示パネルを駆動するためには、表示パネルの少なくとも一側面に沿ってＣｈｉｐ  ｏｎ  Ｆｉｌｍ（ＣＯＦ）又はＴａｐｅ  Ｃａｒｒｉｅｒ  Ｐａｃｋａｇｅ（ＴＣＰ）を媒介として駆動回路基板（Ｐｒｉｎｔｅｄ  Ｃｉｒｃｕｉｔ  Ｂｏａｒｄ：ＰＣＢ）が連結される。ＣＯＦ又はＴＣＰは薄くて曲がる板状の素材に回路配線が形成されているので、駆動回路基板の電気的信号を表示パネルに印加できる。
【０００６】
一般に、駆動回路基板（ＰＣＢ）は、モジュール化過程において体積を減らすために、ボトムシャーシの背面に密着して配置されるので、表示パネルと駆動回路基板（ＰＣＢ）を連結するＣＯＦ又はＴＣＰはボトムシャーシの側面に屈曲して（ｂｅｎｄｉｎｇ）配置される。
【０００７】
また、ボトムシャーシの背面上に駆動回路基板及びＣＯＦなどを保護するための保護部材がさらに配置される。保護部材はネジなどによってボトムシャーシに締結されるが、ボトムシャーシの平坦度差によって駆動回路基板及び保護部材間の間隔が一定でなく、ネジ締結によるガタツキ（ｒａｔｔｌｅ）ノイズが発生し得る。
【発明の概要】
【発明が解決しようとする課題】
【０００８】
したがって、本発明は追加的な器具なしに駆動回路基板及び保護部材を固定できる表示装置を提供することをその目的とする。
【課題を解決するための手段】
【０００９】
前記目的を達成するための、本発明は、表示パネル、前記表示パネルを収納するボトムシャーシ、前記ボトムシャーシの背面に位置する駆動回路基板、前記駆動回路基板上に配置された保護部材、及び前記ボトムシャーシに締結され、前記駆動回路基板及び前記保護部材を固定するガイド部材を含む表示装置を提供する。
【発明の効果】
【００１０】
本発明による表示装置は、ガイド部材を用いて駆動回路基板及び保護部材を同時に固定することによって、駆動回路基板及び保護部材間の間隔を一定に維持できる。
【００１１】
本発明による表示装置は、ガイド部材を用いて駆動回路基板及び保護部材を固定するので、保護部材を固定するための別途の構成を省略でき、材料費を節減でき、組立が容易であり、組立過程において発生する不良を防止できる。
【００１２】
本発明による表示装置は、ガイド部材を用いて駆動回路基板及び保護部材を固定するので、駆動回路基板及び保護部材を固定するためのネジを省略できるので、ガタツキ（ｒａｔｔｌｅ）ノイズを防止できる。
【図面の簡単な説明】
【００１３】
【図１】本発明の一実施例による表示装置を示した分解斜視図である。
【図２】本発明の他の一実施例による表示装置を示した分解斜視図である。
【図３】図１の線I−I’に沿って切断した断面図である。
【図４】本発明の一実施例によるガイド部材を示した斜視図である。
【図５】本発明の一実施例によるガイド部材を示した断面図である。
【図６】本発明の一実施例によるボトムシャーシにガイド部材が締結された形態を示した背面斜視図である。
【図７】本発明の一実施例によるガイド部材に駆動回路基板が固定された形態を示した背面斜視図である。
【図８】本発明の一実施例によるガイド部材に保護部材が固定された形態を示した背面斜視図である。
【図９】本発明の他の一実施例による表示装置を示した分解斜視図である。
【図１０】図９の線ＩＩ−ＩＩ’に沿って切断した断面図である。
【発明を実施するための形態】
【００１４】
以下、添付図面に基づいて本発明を詳細に説明する。
本発明は多様な変更が可能であり、さまざまな形態に実施できるが、特定の実施例のみを図面に例示し、詳細な説明においてはこれを中心に説明する。しかし、本発明の範囲が前記特定の実施例に限定されるものではなく、本発明の思想及び技術範囲に含まれる全ての変更、均等物又は代替物は本発明の範囲に含まれるものと理解されなければならない。
【００１５】
本明細書において、ある部分が他の部分と連結されていると言うとき、これは直接的に連結されている場合だけではなく、その中間にさらに他の素子を挟んで電気的に連結されている場合も含む。また、ある部分がある構成要素を含むというとき、これは特に別の記載がない限り、他の構成要素を排除するものではなく、他の構成要素をさらに含むことができることを意味する。
【００１６】
本明細書において第１、第２、第３などの用語は多様な構成要素を説明するのに使用するが、このような構成要素は前記用語に限定されるものではない。前記用語は一構成要素を他の構成要素と区別する目的で使用する。例えば、本発明の権利範囲から逸脱しない範疇内において、第１構成要素が第２又は第３構成要素などと名付けられることができ、同様に第２又は第３構成要素も取り替えられて名付けられることができる。
【００１７】
本発明を明確に説明するために、説明に関係ない部分は省略し、明細書全般にわたって同一又は類似の構成要素に対しては同じ参照符号を付ける。
【００１８】
以下において、本発明の一実施例による表示装置は液晶表示装置であることを前提として説明する。ただ、本発明は液晶表示装置だけではなく有機発光表示装置又はプラズマ表示装置にも適用可能であるのは言うまでもない。
【００１９】
図１は本発明の一実施例による表示装置を示した分解斜視図、図２は本発明の他の一実施例による表示装置を示した分解斜視図である。図３は図１の線I−I’に沿って切断した断面図である。
【００２０】
図１乃至図３を参照すると、本発明の一実施例による表示装置は、トップシャーシ１１０、表示パネル１２０、モールドフレーム１３０、光学シート１４０、導光板１５０、光源部１６０、反射シート１７０、ボトムシャーシ１８０、及び保護部材１９０などを含む。また、本発明の一実施例による表示装置は、ボトムシャーシ１８０に締結され、駆動回路基板１２５及び保護部材１９０を固定するガイド部材２００を含む。
【００２１】
以下において、モールドフレーム１３０、光学シート１４０、導光板１５０、光源部１６０、反射シート１７０、ボトムシャーシ１８０などをバックライトユニットと称する。
【００２２】
本発明の一実施例による表示装置は光源部１６０が表示パネル１２０の側面に配置されるエッジ型表示装置であることを前提として説明する。ただ、これに限定されるものではなく、本発明の他の一実施例による表示装置は光源部１６０が表示パネル１２０の背面に配置される直下型表示装置であってもよい。
【００２３】
トップシャーシ１１０は、表示パネル１２０の縁部を覆う平面部１１１、及び平面部１１１から折り曲げられて表示パネル１２０の側面を覆う側面部１１３を含む。トップシャーシ１１０の側面部１１３はフック結合及び／又はネジ結合によってモールドフレーム１３０又はボトムシャーシ１８０と結合される。
【００２４】
表示パネル１２０は光を用いて映像を表示する四角板状に形成される。表示パネル１２０には、有機発光表示装置（ＯＬＥＤ）、液晶表示装置（ｌｉｑｕｉｄ  ｃｒｙｓｔａｌ  ｄｉｓｐｌａｙ：ＬＣＤ）、又は電気泳動表示装置（ｅｌｅｃｔｒｏｐｈｏｒｅｔｉｃ  ｄｉｓｐｌａｙ）などの多様な表示パネルを使用できる。本発明の一実施例による表示パネル１２０は液晶表示パネルであることを前提として説明する。
【００２５】
表示パネル１２０は、第１基板１２１、第１基板１２１と対向する第２基板１２３、及び第１基板１２１と第２基板１２３の間に形成された液晶層（図示せず）を含む。
【００２６】
第１基板１２１は、マトリックス状に配置された複数の画素電極、画素電極のそれぞれに駆動電圧を印加する薄膜トランジスタ、及び画素電極と薄膜トランジスタを駆動するための各種信号線を含む。
【００２７】
第２基板１２３は第１基板１２１と対向するように配置され、透明伝導性物質から形成された共通電極、及びカラーフィルターを含む。カラーフィルターには赤色、緑色、及び青色カラーフィルターがある。
【００２８】
液晶層（図示せず）は第１基板１２１及び第２基板１２３の間に介在し、画素電極及び共通電極の間に形成された電場によって再配列される。このように、再配列された液晶層はバックライトユニットから出射された光の透過率を調節し、調節された光がカラーフィルターを通過することによって映像を外部に表示する。
【００２９】
また、図１に示していないが、第１基板１２１の背面及び第２基板１２３の上面のそれぞれに偏光板（図示せず）を付着できる。偏光板は表示パネルに対応する面積を有する。偏光板はバックライトユニットから出力される光のうち特定の偏光のみを通過させるか、外部から到逹する光のうち特定の偏光のみを通過させ、残りの光は吸収又は遮断する。
【００３０】
表示パネル１２０の少なくとも一辺に駆動回路基板１２５が配置される。駆動回路基板１２５は第１基板１２１上に配置された各種信号線に駆動信号を印加する。駆動回路基板１２５には、スキャン信号を印加するゲート駆動回路基板、及びデータ信号を印加するデータ駆動回路基板がある。図１は表示パネル１２０の一辺にのみ駆動回路基板１２５が配置されたものとして示しているが、必ずしもこれに限定されるものではない。
【００３１】
表示パネル１２０及び駆動回路基板１２５は少なくとも一つ以上のフレキシブル回路基板１２７を介して電気的に連結される。ただ、これに限定されるものではなく、駆動回路基板１２５は、図２に示したように、フレキシブル回路基板１２７と連結された第１駆動回路基板１２５ａ、及びフレキシブル回路基板１２７とは別に備えられる第２駆動回路基板１２５ｂを含んでもよい。例えば、第１駆動回路基板１２５ａはソースＰＣＢであってもよく、第２駆動回路基板１２５ｂはコントロールＰＣＢであってもよい。
【００３２】
また、図１を参照すると、フレキシブル回路基板１２７の一端は第１基板１２１の一部と重畳して電気的に連結され、他端は駆動回路基板１２５の一部と重畳して電気的に連結される。フレキシブル回路基板１２７は、例えばＣｈｉｐ  ｏｎ  Ｆｉｌｍ（ＣＯＦ）又はＴａｐｅ  Ｃａｒｒｉｅｒ  Ｐａｃｋａｇｅ（ＴＣＰ）であってもよい。以下において、フレキシブル回路基板１２７はＣＯＦであることを前提として説明する。図１及び図２にはフレキシブル回路基板１２７が５枚配置されたものとして示しているが、必ずしもこれに限定されるものではなく、フレキシブル回路基板１２７の枚数は表示パネルのサイズ及び駆動方式などによって多様な値を有する。
【００３３】
フレキシブル回路基板１２７上に駆動チップ（図示せず）が実装される。駆動チップは表示パネル１２０を駆動させるための各種駆動信号を発生させる。駆動チップはタイミングコントローラー及びデータ駆動回路が単一チップに集積されたもので、ドライバー集積回路（ＩＣ）又はソース集積回路（ＩＣ）などにより具現される。
【００３４】
ただ、これに限定されるものではなく、駆動チップ（図示せず）などは第１基板１２１上に直接具現できる。
【００３５】
表示パネル１２０の一辺に付着された複数のフレキシブル回路基板１２７は、図１、２では水平方向に延伸されているが、図３に示すようにモールドフレーム１３０及びボトムシャーシ１８０の側面に沿って折り曲げられ、駆動回路基板１２５は後述するボトムシャーシ１８０の背面縁部に配置される。
【００３６】
モールドフレーム１３０は四角枠状を有し、四角枠状の内部に表示パネル１２０、光学シート１４０などを収容して支持する。
【００３７】
光学シート１４０は導光板１５０と表示パネル１２０の間に配置され、導光板１５０から伝達される光を拡散又は集光する役目をする。光学シート１４０は、拡散シート、プリズムシート、及び保護シートを含む。図１は３枚の光学シート１４０を含むものとして示しているが、２枚又は４枚以上の光学シートを含むこともできる。
【００３８】
拡散シートは導光板１５０から入射する光を分散させることにより、光が部分的に集中することを防止する。
【００３９】
プリズムシートは一面に三角柱状のプリズムが一定の配列をなすように形成され、拡散シート上に配置され、拡散シートから拡散した光を表示パネル１２０に垂直方向に集光する役目をする。
【００４０】
保護シートはプリズムシート上に形成され、プリズムシートの表面を保護し、光を拡散させて光を均一に分布させる。
【００４１】
導光板１５０は、光源部１６０から受けた光を表示パネル１２０に均一に供給する。導光板１５０は四角板状に形成されるが、これに限定されるものではなく、ＬＥＤチップのような光源を使う場合、光源の位置によって所定の溝又は突起などを含む多様な形状に形成される。
【００４２】
導光板１５０は、説明の便宜上、板状、すなわちプレート（ｐｌａｔｅ）として記述したが、表示装置の薄型化のために、シート状又はフィルム状に形成できる。すなわち、導光板１５０は光をガイドするためのプレート及びフィルムのいずれをも含む。
【００４３】
導光板１５０は、光を効率的にガイドするために、透光性を有する材料、例えばＰＭＭＡ（ＰｏｌｙＭｅｔｈｙｌ  ＭｅｔｈＡｃｒｙｌａｔｅ）のようなアクリル樹脂、ポリカーボネート（ＰｏｌｙＣａｒｂｏｎａｔｅ）のような材料を含んで形成される。
【００４４】
光源部１６０は、光源１６１、及び光源１６１が配置された光源基板１６３を含む。
【００４５】
光源１６１は導光板１５０の辺部又は入光側面に配置される。すなわち、光源１６１は導光板１５０の辺部又は入光側面に光を出射する。光源１６１は、少なくとも一つのＬＥＤチップ（図示せず）とＬＥＤチップを収容するパッケージ（図示せず）を含む。例えば、ＬＥＤチップ（図示せず）は青色光を放出する窒化ガリウム（ＧａＮ）系ＬＥＤチップであってもよい。
【００４６】
光源１６１の個数は、表示パネル１２０のサイズ及び輝度均一性などを考慮して、多様な値を有する。光源基板１６３はプリント基板（Ｐｒｉｎｔｅｄ  Ｃｉｒｃｕｉｔ  Ｂｏａｒｄ：ＰＣＢ）又は金属プリント基板（ｍｅｔａｌ  ＰＣＢ）であってもよい。
【００４７】
光源部１６０は、表示パネル１２０のサイズ及び輝度均一性などを考慮して、導光板１５０の一側面、両側面又は４側面の全部に形成されるが、本発明の一実施例による光源部１６０は導光板１５０の一側短辺に配置されることを前提として説明する。
【００４８】
図面に示していないが、光源部１６０と導光板１５０の間に波長変換部（図示せず）がさらに配置される。波長変換部（図示せず）は光の波長を変換させる物質を含む。例えば、波長変換部は青色ＬＥＤ光源から放出される青色光の波長を白色光に変換させる。
【００４９】
反射シート１７０は、例えばポリエチレンテレフタレート（ＰｏｌｙＥｔｈｙｌｅｎｅ  Ｔｅｒｅｐｈｔｈａｌａｔｅ：ＰＥＴ）からなって反射性を有し、その一側表面は、例えば二酸化チタンを含む拡散層によりコートされる。また、反射シート１７０は銀（Ａｇ）のような金属を含む素材により形成もできる。
【００５０】
ボトムシャーシ１８０はステンレススチールのような剛性を有する金属素材又はアルミニウム又はアルミニウム合金のように放熱特性の良い素材からなる。ボトムシャーシ１８０は表示装置の骨格を維持し、内部に収納される各種の構成要素を保護する。ボトムシャーシ１８０は、ガイド部材２００を締結するための少なくとも一つ以上の第１挿入ホール１８１ｈと保護部材１９０を締結するための少なくとも一つ以上の第２挿入ホール１８２ｈを有する。
【００５１】
保護部材１９０はボトムシャーシ１８０の背面上に位置する駆動回路基板１２５及びフレキシブル回路基板１２７などを覆うように配置される。保護部材１９０はステンレススチールのような剛性を有する金属素材又はアルミニウム又はアルミニウム合金のように放熱特性の良い素材からなる。また、保護部材１９０は、駆動回路基板１２５及びフレキシブル回路基板１２７を保護するために、駆動回路基板１２５及びフレキシブル回路基板１２７と平面上において同一の形態を有する。
【００５２】
また、駆動回路基板１２５と向き合う保護部材１９０の一面上に絶縁部材１９５がさらに配置される。絶縁部材１９５は、駆動回路基板１２５と保護部材１９０が接触することを防止する。
【００５３】
また、保護部材１９０はボトムシャーシ１８０に向かって突出した突起１９７をさらに含む。突起１９７はガイド部材２００と共に保護部材１９０をボトムシャーシに固定させる。
【００５４】
図４（ａ）及び（ｂ）は本発明の一実施例によるガイド部材を示した斜視図、図５は本発明の一実施例によるガイド部材を示した断面図である。
【００５５】
図３、図４（ａ）及び図５を参照すると、ガイド部材２００は、支持部２１０、支持部２１０の一面から伸び、支持部２１０をボトムシャーシ１８０に固定する締結部２２０、支持部２１０の他面から伸び、駆動回路基板１２５を固定する第１固定部２３０、第１固定部２３０から伸び、保護部材１９０を固定する第２固定部２４０、及び第１固定部２３０及び第２固定部２４０間の間隔維持部２５０を含む。
【００５６】
図４（ｂ）に示したように、ガイド部材２００は、支持部２１０から突出した第１突出部２１０ａ及び第２突出部２１０ｂをさらに含む。第１突出部２１０ａは支持部２１０の一側から突出し、第２突出部２１０ｂは支持部２１０の他側から突出する。第１突出部２１０ａは支持部２１０と一体に形成され、第２突出部２１０ｂは支持部２１０と一体に形成される。
【００５７】
ガイド部材２００は、ＰＭＭＡ（ＰｏｌｙＭｅｔｈｙｌ  ＭｅｔｈＡｃｒｙｌａｔｅ）のようなアクリル樹脂、又はポリカーボネート（ＰｏｌｙＣａｒｂｏｎａｔｅ：ＰＣ）のようなプラスチック材料を含んでなる。例えば、ガイド部材２００は、ポリカーボネート（ＰｏｌｙＣａｒｂｏｎａｔｅ：ＰＣ）、透明アクリル（Ａｃｒｙｌ）系樹脂、ポリスチレン（ＰｏｌｙＳｔｙｒｅｎｅ：ＰＳ）、ポリメチルメタクリレート（ＰｏｌｙＭｅｔｈｙｌ  ＭｅｔｈＡｃｒｙｌａｔｅ：ＰＭＭＡ）、及びポリエチレンテレフタレート（ＰｏｌｙＥｔｈｙｌｅｎｅ  Ｔｅｒｅｐｈｔｈａｌａｔｅ：ＰＥＴ）からなる群から選択された少なくとも１種以上を含む。ガイド部材２００は射出成形によって一体型に形成される。
【００５８】
本発明の一実施例による締結部２２０はフック結合及び／又はネジ結合によってボトムシャーシ１８０の背面に結合される。本発明の一実施例による締結部２２０はフック結合されることを前提として説明する。
【００５９】
本発明の一実施例による締結部２２０は、支持部２１０の一面から垂直方向に突出した挿入体２２１及び挿入体２２１から伸びた係止部２２２を含む。挿入体２２１及び係止部２２２はボトムシャーシ１８０の第１挿入ホール１８１ｈに挿入される。係止部２２２は、第１挿入ホール１８１ｈに挿入された後、支持部２１０が抜け出ないように、ボトムシャーシ１８０の内部にかかる。係止部２２２は図面に示した形態の外にも一般的に使われる形態であれば制限なしに使用できる。
【００６０】
本発明の一実施例による第１固定部２３０は駆動回路基板１２５を固定させる。第１固定部２３０は、例えば駆動回路基板１２５と同一の幅Ｗ１を有する。ただ、これに限定されるものではなく、第１固定部２３０は駆動回路基板１２５の形態によって多様な幅Ｗ１を有する。
【００６１】
本発明の一実施例による第２固定部２４０は保護部材１９０を固定させる。第２固定部２４０は、例えば保護部材１９０と同一の幅Ｗ２を有する。ただ、これに限定されるものではなく、第２固定部２４０は保護部材１９０の形態によって多様な幅Ｗ２を有する。
【００６２】
本発明の一実施例において、第１固定部２３０の幅Ｗ１が第２固定部２４０の幅Ｗ２より小さいものとして示しているが、これに限定されるものではなく、第１固定部２３０の幅Ｗ１と第２固定部２４０の幅Ｗ２は実質的に同一であるとか、あるいは第１固定部２３０の幅Ｗ１が第２固定部２４０の幅Ｗ２より大きいこともある。
【００６３】
本発明の一実施例において、第１固定部２３０及び第２固定部２４０は実質的に階段形態を有する。
【００６４】
ガイド部材２００は、第１固定部２３０及び第２固定部２４０の間に、駆動回路基板１２５と保護部材１９０間の間隔を一定に維持するための間隔維持部２５０をさらに含む。
【００６５】
間隔維持部２５０は、駆動回路基板１２５と保護部材１９０間の間隔を３ｍｍ乃至７ｍｍに維持するように、適切な厚さを有する。ただ、これに限定されるものではなく、間隔維持部２５０は省略もできる。間隔維持部２５０は、駆動回路基板１２５と絶縁部材１９５間の間隔ｄを３ｍｍ乃至７ｍｍに維持できるように、適切な厚さを有する。ただ、これに限定されるものではなく、間隔維持部２５０は省略もできる。
【００６６】
図６は本発明の一実施例によるボトムシャーシ１８０にガイド部材２００が締結された形態を示した背面斜視図、図７は本発明の一実施例によるガイド部材２００に駆動回路基板１２５が固定された形態を示した背面斜視図、図８は本発明の一実施例によるガイド部材２００に保護部材１９０が固定された形態を示した背面斜視図である。
【００６７】
図６を参照すると、ボトムシャーシ１８０の背面に形成された第１挿入ホール１８１ｈにガイド部材２００が締結される。ガイド部材２００はフック結合又はネジ結合される。ガイド部材２００がボトムシャーシ１８０に締結されることにより、ガイド部材２００はボトムシャーシ１８０の背面に密着して固定される。
【００６８】
次に、図７を参照すると、表示パネルの一側に配置された駆動回路基板１２５及びフレキシブル回路基板１２７が折り曲げられてボトムシャーシ１８０の背面に位置し、駆動回路基板１２５がガイド部材２００の第１固定部２３０に挿合される。
【００６９】
次に、図８を参照すると、保護部材１９０がガイド部材２００の第２固定部２４０に挿合される。同時に、保護部材１９０の突起１９７がボトムシャーシ１８０の背面に形成された第２挿入ホール１８２ｈに挿入される。
【００７０】
このように、保護部材１９０は、ガイド部材２００によって一軸が固定され、ボトムシャーシ１８０によって他軸が固定されることにより、表示装置に堅固に固定される。
【００７１】
図９は本発明の他の一実施例による表示装置を示した分解斜視図、図１０は図９の線ＩＩ−ＩＩ’に沿って切断した断面図である。本発明の他の一実施例による表示装置についての説明のうち、本発明の一実施例による表示装置についての説明と重複する内容は省略する。
【００７２】
図９及び図１０を参照すると、本発明の他の一実施例による表示装置は、トップシャーシ１１０、表示パネル１２０、モールドフレーム１３０、光学シート１４０、導光板１５０、光源部１６０、反射シート１７０、ボトムシャーシ１８０、及び保護部材１９０などを含む。また、本発明の他の一実施例による表示装置は、ボトムシャーシ１８０に締結され、駆動回路基板１２５及び保護部材１９０を固定するガイド部材２００を含む。
【００７３】
以下において、モールドフレーム１３０、光学シート１４０、導光板１５０、光源部１６０、反射シート１７０、ボトムシャーシ１８０などをバックライトユニットと称する。
【００７４】
トップシャーシ１１０は、表示パネル１２０の縁部を覆う平面部１１１、及び平面部１１１から折り曲げられて表示パネル１２０の側面を覆う側面部１１３を含む。トップシャーシ１１０の側面部１１３はフック結合及び／又はネジ結合によってモールドフレーム１３０又はボトムシャーシ１８０と結合される。
【００７５】
ボトムシャーシ１８０は表示装置の骨格を維持し、内部に収納される各種の構成要素を保護する。ボトムシャーシ１８０は、ガイド部材２００を締結するための少なくとも一つ以上の第１挿入ホール１８１ｈを有する。
【００７６】
保護部材１９０は、ボトムシャーシ１８０の背面上に位置する駆動回路基板１２５及びフレキシブル回路基板１２７などを覆うように配置される。
【００７７】
また、駆動回路基板１２５と向き合う保護部材１９０の一面上に絶縁部材１９５がさらに配置される。絶縁部材１９５は駆動回路基板１２５と保護部材１９０が接触することを防止する。
【００７８】
また、保護部材１９０はトップシャーシ１１０の側面部１１３と締結されるフック１９８をさらに含む。フック１９８は保護部材１９０をトップシャーシ１１０に固定させる。
【００７９】
表示パネル１２０の一側に配置された駆動回路基板１２５及びフレキシブル回路基板１２７は折り曲げられてボトムシャーシ１８０の背面に位置し、駆動回路基板１２５はガイド部材２００の第１固定部２３０に挿合される。
【００８０】
また、保護部材１９０がガイド部材２００の第２固定部２４０に挿合される。同時に、保護部材１９０のフック１９８がトップシャーシ１１０の側面部１１３に形成された締結ホール１１３ｈに挿入される。
【００８１】
このように、保護部材１９０は、ガイド部材２００によって一軸が固定され、トップシャーシ１１０によって他軸が固定されることによって、表示装置に堅固に固定される。
【００８２】
本発明による表示装置は、ガイド部材２００を用いて駆動回路基板１２５及び保護部材１９０を同時に固定することにより、駆動回路基板１２５及び保護部材１９０間の間隔を一定に維持する。
【００８３】
本発明による表示装置は、ガイド部材２００を用いて駆動回路基板１２５及び保護部材１９０を固定して、保護部材１９０を固定するための別途の構成を省略できるので、材料費を節減でき、組立が容易であり、組立過程において発生する不良を防止できる。
【００８４】
本発明による表示装置は、ガイド部材２００を用いて駆動回路基板１２５及び保護部材１９０を固定するので、保護部材１９０を固定するためのネジを省略でき、ガタツキ（ｒａｔｔｌｅ）ノイズを防止できる。
【００８５】
以上、添付図面に基づいて本発明の実施例を説明したが、本発明が属する技術分野において通常の知識を有する者であれば本発明の技術的思想又は必須特徴を変更せずに他の具体的な形態に実施可能であることを理解することができるであろう。したがって、以上において記述した実施例は全ての面において例示的なもので、限定的ではないものと理解しなければならない。
【符号の説明】
【００８６】
１１０    トップシャーシ
１１１    平面部
１１３    側面部
１１３ｈ  締結ホール
１２０    表示パネル
１２１    第１基板
１２３    第２基板
１２５    駆動回路基板
１２５ａ  第１駆動回路基板
１２５ｂ  第２駆動回路基板
１２７    フレキシブル回路基板
１３０    モールドフレーム
１４０    光学シート
１５０    導光板
１６０    光源部
１６１    光源
１６３    光源基板
１７０    反射シート
１８０    ボトムシャーシ
１８１ｈ    第１挿入ホール
１８２ｈ    第２挿入ホール
１９０    保護部材
１９５    絶縁部材
１９７    突起
１９８    フック
２００    ガイド部材
２１０    支持部
２１０ａ    第１突出部
２１０ｂ    第２突出部
２２０    締結部
２２１    挿入体
２２２    係止部
２３０    第１固定部
２４０    第２固定部
２５０    間隔維持部
【図１】
2018092172.tif 000003
【図２】
2018092172.tif 000004
【図３】
2018092172.tif 000005
【図４】
2018092172.tif 000006
【図５】
2018092172.tif 000007
【図６】
2018092172.tif 000008
【図７】
2018092172.tif 000009
【図８】
2018092172.tif 000010
【図９】
2018092172.tif 000011
【図１０】
2018092172.tif 000012